(57)【要約】      （修正有）【課題】ビデオオーディオ送信装置を、特に無線ビデオオーディオ送信装置を提供する。【解決手段】安定的にディジタルビデオオーディオプレーヤーをセットできる連接槽が設置され、またリモコン本体の底座にデータを伝送するための、そしてリモコン本体とディジタルビデオオーディオプレーヤーに対して電源を共有するための１対の電気接点が設置されるリモコン本体と、上にリモコン本体を嵌設するための嵌合槽があり、嵌合槽の下方において、リモコン本体の電気接点に対応する位置にもう１対の電気接点が設置され、リモコン本体が嵌合槽にセットされる時、リモコン本体に対して電源を供給する基座とリモコン本体に設置され、ディジタルビデオオーディオプレーヤー内のビデオオーディオファイルを無線によりプレーヤーに伝送して再生し、有効にリモコン本体の機能を拡張できる無線エミッターとが含有される。【選択図】図２
0003138852.tif 000002
【実用新案登録請求の範囲】
【請求項１】
上にディジタルビデオオーディオプレーヤーを安定的にセットするための連接槽が設置され、底座に１対のデータ伝送や該リモコン本体と該ディジタルビデオオーディオプレーヤーに対して電源を供給するための電気接点が設置されるリモコン本体と、
上に該リモコン本体を嵌設するための嵌合槽があり、該嵌合槽の下方において、該リモコン本体の電気接点に対応する位置に、もう１対の電気接点が設けられ、該リモコン本体が該嵌合槽にセットされる時、該リモコン本体に対して電源を供給する基座と、
該リモコン本体に設置され、該ディジタルビデオオーディオプレーヤー内のビデオオーディオファイルを、無線によりプレーヤーに伝送して再生する無線エミッターとが含有されることを特徴とする、無線ビデオオーディオ送信装置。
【請求項２】
該プレーヤーに無線レシーバが内蔵され、該無線エミッターが送信した信号を受信することを特徴とする、請求項１に記載の無線ビデオオーディオ送信装置。
【請求項３】
該プレーヤーがテレビであることを特徴とする、請求項１か２に記載の無線ビデオオーディオ送信装置。
【請求項４】
該プレーヤーがホームシアターのビデオテープマシンであることを特徴とする、請求項１か２に記載の無線ビデオオーディオ送信装置。
【請求項５】
該プレーヤーがコンピュータ用のディスプレイや、ディジタルオーディオ装置であることを特徴とする、請求項１か２に記載の無線ビデオオーディオ送信装置。
【請求項６】
該基座に電源線が連接されて、商用電力が連接されることを特徴とする、請求項１に記載の無線ビデオオーディオ送信装置。
【請求項７】
該ディジタルビデオオーディオプレーヤーが、異なる規格のウェアラブルビデオオーディオプレーヤーであることを特徴とする、請求項１に記載の無線ビデオオーディオ送信装置。
【請求項８】
該連接槽がディジタルビデオオーディオプレーヤーのサイズに対応するように設置されることを特徴とする、請求項１に記載の無線ビデオオーディオ送信装置。
【請求項９】
該リモコン本体に、更に、該リモコン本体に対して電力を供給するための充電電池が設置されることを特徴とする、請求項１に記載の無線ビデオオーディオ送信装置。
【考案の詳細な説明】
【技術分野】
【０００１】
本考案はビデオオーディオ送信装置に関し、特に、市販のリモコン機能を有効に拡張できる無線ビデオオーディオ送信装置に関する。
【背景技術】
【０００２】
一般の従来のリモコン１は、図１のように矩形ケーシングで、該ケーシングに複数の制御ボタンが設置され、室内の各種類の家電製品を制御し、一つのボタンに１種類の制御機能があり、このような設計によれば、複数のリモコンの制御帯域を結合するだけで汎用のリモコンであるが、科技の進歩に伴って、家電製品が次々に登場し、数多い家電製品のコントローラーが無線制御モジュールであるため、新規の電器製品を購入する時、無線リモコンが付属されるのが多いから、様々の異なるリモコンが多くなり、快速で便利なことを要請する現代人にとって実用的とは言えない。
【考案の開示】
【考案が解決しようとする課題】
【０００３】
本考案の主な目的は、ディジタルビデオオーディオプレーヤーをリモコン本体にある連接槽にセットすることにより、リモコン本体の無線エミッターを利用して、ビデオオーディオ信号をプレーヤーへ伝送して再生し、有効にリモコン本体の機能を拡張する無線ビデオオーディオ送信装置を提供する。
【０００４】
本考案の他の目的は、基座にある電源線を商用電力に連接し、商用電力電源を直流電流源に変換して電気接点に供給することにより、同時にリモコン本体とディジタルビデオオーディオプレーヤーに対して充電する無線ビデオオーディオ送信装置を提供する。
【課題を解決するための手段】
【０００５】
請求項１の考案は、上にディジタルビデオオーディオプレーヤーを安定的にセットするための連接槽が設置され、底座に、１対のデータ伝送や該リモコン本体と該ディジタルビデオオーディオプレーヤーに対して電源を供給するための電気接点が設置されるリモコン本体と、上に、該リモコン本体を嵌設するための嵌合槽があり、該嵌合槽の下方において、該リモコン本体の電気接点に対応する位置に、もう１対の電気接点が設けられ、該リモコン本体が該嵌合槽にセットされる時、該リモコン本体に対して電源を供給する基座と、該リモコン本体に設置され、該ディジタルビデオオーディオプレーヤー内のビデオオーディオファイルを、無線によりプレーヤーに伝送して再生する無線エミッターとが含有されることを特徴とする、無線ビデオオーディオ送信装置である。
【０００６】
請求項２の考案は、該プレーヤーに無線レシーバが内蔵され、該無線エミッターが送信した信号を受信することを特徴とする、請求項１に記載の無線ビデオオーディオ送信装置である。
【０００７】
請求項３の考案は、該プレーヤーがテレビであることを特徴とする、請求項１か２に記載の無線ビデオオーディオ送信装置である。
【０００８】
請求項４の考案は、該プレーヤーがホームシアターのビデオテープマシンであることを特徴とする、請求項１か２に記載の無線ビデオオーディオ送信装置である。
【０００９】
請求項５の考案は、該プレーヤーがコンピュータ用のディスプレイやディジタルオーディオ装置であることを特徴とする、請求項１か２に記載の無線ビデオオーディオ送信装置である。
【００１０】
請求項６の考案は、該基座に電源線が連接されて、商用電力が連接されることを特徴とする、請求項１に記載の無線ビデオオーディオ送信装置である。
【００１１】
請求項７の考案は、該ディジタルビデオオーディオプレーヤーが異なる規格のウェアラブルビデオオーディオプレーヤーであることを特徴とする、請求項１に記載の無線ビデオオーディオ送信装置である。
【００１２】
請求項８の考案は、該連接槽がディジタルビデオオーディオプレーヤーのサイズに対応するように設置されることを特徴とする、請求項１に記載の無線ビデオオーディオ送信装置である。
【００１３】
請求項９の考案は、該リモコン本体に、更に、該リモコン本体に対して電力を供給するための充電電池が設置されることを特徴とする、請求項１に記載の無線ビデオオーディオ送信装置である。
【考案を実施するための最良の形態】
【００１４】
図２を参照しながら、リモコン本体１０があり、リモコン本体１０は、表面に連接槽１０１が設置され、該連接槽１０１に、安定的にディジタルビデオオーディオプレーヤー１２（例えば、ＭＰ３やＭＰ４、ｉＰｏｄプレーヤー及びＰｏｒｔａｂｌｅ  ＤＶＤ  ｐｌａｙｅｒ…等）がセットされ、また、連接槽１０１の底部に、ディジタルビデオオーディオプレーヤー１２の底部にある電気接点１２１に対応する１対の電気接点１０２が設けられ、電気接点１０２、１２１を介して、ディジタルビデオオーディオプレーヤー１２の内部に格納されたビデオオーディオデータをリモコン本体１０に伝送でき、そして、リモコン本体の内部に、更に、繰り返して充放電できる充電電池１０５が設置され、
【００１５】
図３と４を参照しながら、リモコン本体１０に、無線エミッター１０３が設置され、また、再生装置１４の内部に、対応するように無線レシーバ１４１が設置され、まず、ディジタルビデオオーディオプレーヤー１２内のビデオオーディオデータを無線エミッター１０３にロードし、また、プレーヤー１４の内部に位置する無線レシーバ１４１によって受信し、そして、該ディジタルビデオオーディオプレーヤー１２から伝送したビデオオーディオデータをプレーヤー１４で再生し、また、該リモコン本体１０の底部に、分離可能の基座１６が設置され、基座１６にリモコン本体１０を該基座１６に設置するための嵌合槽１６１が設けられ、そして電源線１６３を介して商用電力が連接され、商用電力の交流電流を直流電流源に変換する。該基座１６に、もう一つの電気接点１６２が設置され、また、リモコン本体１０的底座にもう１対の電気接点１０４が設置され、嵌合槽１６１により、リモコン本体１０をセットするだけでなく、電源をリモコン本体１０とディジタルビデオオーディオプレーヤー１２に供給し、そして同時に、リモコン本体１０とディジタルビデオオーディオプレーヤー１２に対して充電できる。
【００１６】
この考案によれば、有効に従来のリモコンを無線伝送可能の無線ビデオオーディオプレーヤーに変身でき、これにより、ディジタルビデオオーディオプレーヤー１２の内部に格納されたビデオオーディオデータが、リモコン本体１０を介してプレーヤー１４へ伝送されて再生され、また、該プレーヤー１４は、ホームシアターのビデオテープマシンやテレビ或いはコンピュータ用のディスプレイやディジタルオーディオ装置等の類似するビデオオーディオや表示プレーヤーであるため、プレーヤー１４のホストだけでなく、何処でも再生できる。連接槽１０１に、ディジタルビデオオーディオプレーヤー１２のサイズに合わせて、異なるサイズの規格が設置されることができ、またディジタルビデオオーディオプレーヤー１２は、ディジタルビデオオーディオプレーヤー１２に制限されることが無く、異なる規格のサイズのウェアラブルビデオオーディオプレーヤーであっても良い。
【図面の簡単な説明】
【００１７】
【図１】従来技術
【図２】本考案に係わる無線ビデオオーディオ送信装置の立体図
【図３】本考案に係わる無線ビデオオーディオ送信装置の立体分解図
【図４】本考案に係わる無線ビデオオーディオ送信装置の実施例図
【符号の説明】
【００１８】
１０        リモコン本体
１０１      連接槽
１０２      電気接点
１０３      無線エミッター
１０４      電気接点
１０５      充電電池
１２        ディジタルビデオオーディオプレーヤー
１２１      電気接点
１４        再生装置
１４１      無線レシーバ
１６        基座
１６１      嵌合槽
１６２      電気接点
１６３      電源線
【図１】
0003138852.tif 000003
【図２】
0003138852.tif 000004
【図３】
0003138852.tif 000005
【図４】
0003138852.tif 000006